Podtech/llm-jp-corpus-v4-ja_patent huggingface dataset:
(57)【要約】【課題】大気中の炭酸ガスを減少させ、併せて人工地下空間の埋め立てによる陥没防止等による環境保全を行い、又、遠き将来に於いて利用可能な資源とする方法を提供する。【解決手段】炭を中心とする植物質からの炭化物を炭鉱跡、金属鉱跡、岩石鉱跡、トンネル跡、防空壕跡等の人工掘削跡の地下空所に埋戻し保存する。【選択図】なし【特許請求の範囲】
【請求項１】
植物質からの炭化物を人工掘削跡の地下空所に保持することを特徴とする炭素埋戻し保存方法。
【請求項２】
植物質からの炭化物が木炭である請求項１の炭素埋戻し保存方法。
【請求項３】
人工掘削跡の地下空所が炭鉱跡、金属鉱跡、岩石鉱跡、トンネル跡、防空壕跡である請求項１，２の炭素埋戻し保存方法。
【発明の詳細な説明】
【技術分野】
【０００１】この発明は空気中の炭酸ガスの減少、地下環境保全及び資源保持を併せてはかる方法に関する。
【背景技術】
【０００２】近年人類の活動による炭酸ガスの排出が大幅に増加し、その結果地球の温暖化が起こり世界的に問題化してきた。局地における氷の融解、海面の上昇、巨大台風の発生、気象の変動に伴う植生の変化等じわじわとだが確実に迫ってきている。温暖化ガスは炭酸ガスだけではないが炭酸ガスの占める割合がもっとも大きい。これらに対する対策としては経済活動を押えることなく技術の革新による炭酸ガスの発生抑制抑制を図るＣＤＭが世界中で進められている。なんとか気候を現在のまま安定化させているシステムの範囲中に人類の活動を押さえ込もうとしているわけだが日本でもその発生量は依然として増加している状態であり今後発展途上国からの増加等考えると容易なことではなく、従来のいわゆる公害防止対策、次いでの環境適応型行動だけでは解決できない問題である。地上植物、海中プランクトンによる炭酸ガス固定が別の頼りの１つであるが死滅後は直ぐ或いは利用後の微生物等分解により、炭酸ガスとなって大気中に戻るわけで長い期間で考えるとトータル量では変わらないとされている。しかし一時的であろうと大気中の炭酸ガスを減少させるはたらきは大切にしなければならない。【０００３】一方例えば露天堀の炭鉱では採炭後の土地は埋め戻し、植林を行って元の状態に復帰させなければならないとする現状復帰義務など環境に配慮した動きが進んでいる。日本では廃棄地下空間に対しては、例えば大谷石採掘跡地下空間埋め戻しに灰溶融スラグが用いられ、戦前の防空壕で地表陥没等影響があるところにエアモルタル注入などの対策が見られ、周囲を含めての環境保全がなされている。しかし、深度が深いところなど大部分は不充分である。【０００４】この２つの目的を兼ね、更には遠き将来子孫のために資源ともなりうる行動は見あたらない。このための材として木炭は石炭、石油に取って代わられる迄は熱エネルギーとして大量に生産・消費されていたが日本の生産量は現在年間数万トンに過ぎず、土壌改良剤、水質改善剤、床下調湿剤など熱源以外の用途も試みられているが人口地下空間に上記目的での埋め戻しはなされていない。【０００５】温室効果ガス削減技法、木質炭化物を用いた環境浄化方法について先行文献があるが本発明の目的に添うものではない。
【特許文献１】  特開２００２−３６１２０６号
【特許文献２】  特開２００２−０２８６４１号
【発明の開示】
【発明が解決しようとする課題】
【０００６】大気中の炭酸ガスを減少させ、併せて人工地下空間を埋め戻しにより陥没防止等の環境保全を行い、又、遠き将来に於いて利用可能な資源とすることを目的とする。
【課題を解決するのための手段】
【０００７】本発明にかかわる炭素埋戻し保存方法は請求項１に記したように植物質からの炭化物を人工掘削跡の地下空所に保持することを特徴とする炭素埋戻し保存方法をとるものである。植物質は大気中の炭酸ガスを減少させたものであるから通常の炭の他、籾殻、雑木など植物質からの炭化物であればよく又粉でも枝状でも形態を問わない。植物の炭化物は炭素であるから腐ることなく湿気のある所、水中、高低温、圧力の有無などどんな環境下でも安定しており、且つ植物の炭化物はほとんどが炭素であるから炭酸ガスから酸素を除去して高密度でありむだな物を保存する事もない。
地下の人工掘削跡は特に廃坑となった後は陥没の危険も大きいが深いところは放置せざるを得ない。その空間を炭で埋め戻すことにより崩れを支える。それでも崩れる事は当然起こるが炭酸ガス減少が第一目的であるから炭素源として坑道がわかればかまわない。
【０００８】又、本発明に係る炭素埋戻し保存方法は請求項２に記したように上記植物質からの炭化物が木炭（竹炭も含む）であることを特徴とする炭素埋戻し保存方法をとるものである。木炭は人工的炭化物の中で生産量の多いものであるから埋め戻し用として適しているが、形態が大小の棒であり、細胞空間のあるものでもあるから落盤した時に抵抗力が多少弱い点はあろう。
【０００９】又、本発明に係る炭素埋戻し保存方法は請求項３に記したように人工掘削跡の地下空所が炭鉱跡、金属鉱跡、岩石鉱跡、トンネル跡、防空壕跡である請求項１，２の炭素埋戻し保存方法であるがこれらは元来使用後は埋め戻して現状復帰すべき所であるが今からでよいから埋め戻していくべき所であろう。これらの地下空間に木炭を出来るだけ密に押しこみ埋め戻していく。
【発明の効果】
【００１０】空中炭酸ガスを炭素という物質で保存することにより温暖化ガスの減少化に寄与し、且つ、本来埋め戻すべき地下空間を異変の起こらない物質で埋め戻して落盤を含めた地下の環境破壊防止を図ると共に、遠き将来の資源とも考えられるものを子孫に残すことが出来る。
【発明を実施するための最良の形態】炭素は植物質からの炭素をはじめ腐りもしなければ通常では化学変化も起こらず種々の自然環境化では変化は起こらないといっても良い。従って、量の大小、保存環境の違い等は堅さ等諸機能、その性質保持は長く継続される。本発明は以下の例示に限られる物ではない。
【実施例１】
【００１１】木炭１０ｋｇを包装から出してバラにし防空壕跡奥の土面に積み重ねておいた。１年後の状態は見た目も変わらず、臭いもせず当初となんらの変化は無かった。
【実施例２】
【００１２】第２次大戦から戦後１０年位まで使用していた放置後つぶれた炭窯跡を整理時、埋もれた炭が出てきた。形に変わりは無く軽く洗い納屋に保管後庭でのバーベキュー時の炭として使用したが通常と同じく使用することが出来た。
【産業上の利用可能性】
【００１３】本発明は温暖化ガスの削減、地下空間の現状維持を図る環境保持、子孫への資源の保存を併せて図ることが出来る。
(57)【要約】【課題】マイクロバブルシャワーヘッドを使うとき、使用者が各目的に応じ、効能を持つ液を水（または湯）と混合しやすいようにシャワーヘッド外部にカードリッジを設けた液混入カードリッジ付マイクロバブルシャワーヘッドを提供する。【解決手段】シャワーヘッド（１）にマイクロバブル発生装置（２）を接続し、シャワーヘッド（１）外部にカードリッジ（３）を設けたシャワーヘッドを特徴とする。【選択図】図１
2009174289.tif 000002
【特許請求の範囲】
【請求項１】
シャワーヘッド（１）にマイクロバブル発生装置（２）を接続し、シャワーヘッド（１）外部にカードリッジ（３）を設けた液混入カードリッジ付マイクロバブルシャワーヘッド。
【発明の詳細な説明】
【技術分野】
【０００１】  この発明は、シャワーヘッドにマイクロバブル発生装置を設け、シャワーヘッド外部に液混入カードリッジを設けた液混入カードリッジ付マイクロバブルシャワーヘッドに関するものである。
【背景技術】
【０００２】  従来、マイクロバブルシャワーヘッドと各液剤は別々になっていた。
【発明の開示】
【発明が解決しようとする課題】
【０００３】  これは、次のような欠点があった。
（イ）シャワーヘッド内部にカードリッジを設けるタイプは、塩素やその他不純物の吸着や除去等目的のカードリッジで高価なものが多かった。
（ロ）シャワーヘッド内部に空間が設けられたタイプは、内部空間に液等を注入し水（または湯）と混合するため、空間内部への接触は困難な構造で、多種の液を使用する際の空間内の洗浄は難しく、液残量も確認しがたいものである。
（ハ）マイクロバブルが発生するシャワーヘッドにもかかわらず、目視にて実感することが難しいものであった。
（ニ）マイクロバブルと液剤を同時に使用する場合、別容器に液剤を入れた後、マイクロバブルをその容器に充填することで混合し使用していた。
本発明は、以上のような欠点をなくすためになされたものである。
【課題を解決するための手段】
【０００４】  半透明シャワーヘッド（１）にマイクロバブル発生装置（２）を接続し、シャワーヘッド（１）外部に安易に交換可能なカードリッジ（３）を設ける。
本発明は、以上の構成よりなる液混入カードリッジ付マイクロバブルシャワーヘッドである。
【発明の効果】
【０００５】  シャワーヘッド外部に安易に交換可能なカードリッジを設けることで使用時に水（または湯）と液を混合でき、シャワーヘッド外部にカードリッジが接続されるため液残量も一目で確認できる。
また半透明シャワーヘッドのため、マイクロバブルを目視にて実感することができる。
【発明を実施するための最良の形態】
【０００６】  以下、本発明を実施するための最良の形態について説明する。
半透明のシャワーヘッド（１）にマイクロバブル発生装置（２）を接続する。シャワーヘッド（１）外部に、液混入カードリッジ接続部を設ける。透明または半透明のカードリッジ（３）は、使用者の目的に応じ、効能の異なる液を充填したものを準備する。シャワーヘッド（１）外部に液混入カードリッジ（３）を接続し固定する。
本発明は、以上のような構造である。
これを使用するときは、マイクロバブルシャワーヘッドに接続したカードリッジにて、水（または湯）と液を混入し、使用すればいい。
【図面の簡単な説明】
【０００７】
【図１】  本発明の斜視図である。
【図２】  本発明の断面図である。
【符号の説明】
【０００８】  １  シャワーヘッド
２  マイクロバブル発生装置
３  カードリッジ
【図１】
2009174289.tif 000003
【図２】
2009174289.tif 000004
(57)【要約】      （修正有）【課題】走行時に発生する向い風の利用。【解決手段】自動車の屋根１１にダクト付ファン４を設置し、走行時に発生する向い風によって作動させ駆動力を増大させる装置で、その機能を有効に発揮させる為に、自動車の屋根の先頭からファンの位置迄、気流の風道を収束する案内塀１の側面の表面に多数の後斜め向きに細孔２を内壁に貫通させて自然風の横風を取入れて風力を強めた回転力でファンを作動させて駆動力を増大させる省エネ環境保護の自動車です。【選択図】図１
2009174514.tif 000002
【特許請求の範囲】
【請求項１】
自動車の運転席屋上の正面屋根上から逆三角形状に収斂する案内塀の風道を通って向い風がダクト付ファンに達してファンのブレードを作動させ、同時に、ダクトを振動させて共振する風力で増大する回転力で自動車の駆動力を加速させるメカニズム。
【請求項２】
前項に於ける風の案内塀の外壁表面から内壁に進行方向後ろ向きに多数の細孔を加工し、自然風の横風が前記細孔を通り抜けることによって前記横風の風圧を緩和して前項のダクト付ファンに到達してファンの回転力を横風を利用して増加させる仕組。
【請求項３】
請求項１の自動車の屋根の後端に車体を軽くする為の傾斜か湾曲した板のウイングを後方に伸ばし、その先端部に連動して下向きにより大きな傾斜角を施したフラップの表面から裏面に届く多数の細孔を加工して前記ウイングの表面を流れる気流が前記細孔を通ることによって乱流によって生じる引張力を削減して自動車の駆動力を減少するのを防ぐメカニズム。
【発明の詳細な説明】
【技術分野】
【０００１】省エネと排ガス低減を促進するメカニズムの自動車。
【技術背景】
【０００２】従来の自動車は、駆動力のエネルギーを主に装置の改良や原料の種類を変えることによって省エネ効果を得る方法や排ガス低減の効果を狙ってきたが未だ大幅な結果が得られていない現状です。
【発明の開示】
【０００３】当該発明は、新たなエネルギー源を従来の動力に付け加えるのでなく本来自動車の駆動に負荷である向い風を自動車の屋根上に設置したダクト付ファンを作動させる駆動力に転換することによって駆動に必要なエネルギーを回収する機能を持ったシステムです。その際、ファンを覆うダクトを振動させて共振により増加させた風力で前記ルーフファンをの回転力を増大させるので大きな駆動力を得て自動車を駆動させるシステムです。このシステムの効果を生かす為の必要条件として自動車の先端から向い風が前記ファンに到達される迄、横風によって走行の逆方向えの気流が遮られない様に風道を案内塀で囲い、更に、横風の風圧を前記案内塀の表面から多数の後斜め向きの細孔を自然の横風を通すことによって前記ダクト付ルーフファンのブレイドの回転力を増して自動車の駆動力を増加するシステムです。この場合、トラックのコンテナーにこのシステムを取り入れる際は、船舶等でコンテナーを積上げて輸送する際、コンテナーの屋根の四隅に支柱としてポールを設置します。又、前記自動車の屋根上の後端に浮力増大の為のウイングを付け、それに続くフラップに多数の細孔を開けて気流を吸い込ませ乱流の発生を抑えて駆動力を維持するシステムです。
【図面の簡単な説明】
【０００４】
【図１】（第１図）細孔を加工した案内塀を接したダクト付プロペラを屋根上に設置した省エネ自動車の平面図です。
【符号の説明】
【０００５】１、案内塀          ２．横風取入れ孔      ３．ダクト
４．ファン          ５．ウィング          ６．フラップ
７．垂直細孔        ８．コンテナを積上げる際のポール
９．自動車の屋根    １０．タイヤ    １１．運転席の屋根
【発明の詳細な説明】
【０００６】      当該発明は、自動車の運転席の屋根（１１）に続く正面の屋根（９）の先端から後部のダクト（３）付ファン（４）に逆三角形状に収束する案内塀（１）でタイヤ（１０）で自動車が走行中、正面から吹く気流の風道を導入すると同時に、前記案内塀（１）の外壁の側面の表面から進行方向の後ろ向きに斜め方向に内壁を貫く細孔を多数加工することによって自然風の横風を横風取入れ孔（２）を通して通過させることによって正面からの向い風に合流して風力を一層強めると共に前記案内塀（１）えの横風の風圧を減衰させます。更に、前記ダクト（３）に振動を与えることによって共振を起こして風力を数倍にした回転力で前記ファン（４）を作動させて後方に流出する気流の反動で得る推進力で自動車の駆動力を加速させて、駆動力に先に消費させたエネルギーを部分的に回収するメカニズムの省エネ自動車です。前記自動車の後端から浮力を発生させる為に側面が緩やかな曲面を形成するウイング（５）を後方に伸ばし、それに続けてより傾斜角の大きなフラップ（６）を付けて、その表面に加工した多数の垂直な細孔（７）をコアンダ効果によって前記ウイング（５）の表面を流れる気流が流入することによって乱流の生成を阻止して引張力を制御し、自動車の駆動力を維持するメカニズムです。更に、当該システムをコンテナーに使用する際、その輸送の際にコンテナーを積み重ね可能にする為にコンテナーを積上げる際のポール（８）を自動車の屋根（９）のコーナーに設置します。
【図１】
2009174514.tif 000003
(57)【要約】【課題】一般的な内燃機関の排気音を低減し、なおかつ高い出力が得られる内燃機関を提供する。【解決手段】一般的な内燃機関にシリンダーとピストンを設けて排気経路の途中に逆止弁を取り付ける。これらの作用で排気音の低減と高い出力を得る内燃機関。【選択図】図１
2009174508.tif 000002
【特許請求の範囲】
【請求項１】
ピストン式内燃機関にピストン式気体圧縮機を接合しこの排気経路に開閉弁を取り付けたことを特徴とする高出力低排気音内燃機関。
【発明の詳細な説明】
【技術分野】
【００１】本発明は一般的な内燃機関の構造で、これにシリンダーとピストンを付け加えて配管結合した高出力で低排気音の内燃機関に関するものである。
【背景技術】
【００２】従来の排気音低減装置は単に改良された吸音材の内装とか形状の工夫又は音響装置を用いており、それらは出力が犠牲になったり、高価な装置であります。
【発明の開示】
【発明が解決しょうとする課題】
【００３】近年、内燃機関の騒音対策が求められている。しかしそのほとんどが出力を犠牲にせざるをえない構造である。
【００４】本発明はこの問題を解決しようとするものである。
【課題を解決するための手段】
【００５】問題解決の手段として、本機関は一般的なピストン型シリンダーの内燃機関より２倍多い混合気体の過給と排気音低減の為、もう一組のシリンダーとピストンを設けた内燃機関である。
【発明の効果】
【００６】本発明の内燃機関は一般的なピストン型シリンダーの内燃機関にもう一組の（１５）のシリンダーと（１４）のピストンを設けたことにより、二つの効果を得ていることが特徴となっているこれは（１４）のピストン底部の（２５）のクランク室に得られる気体の体積と（２）のシリンダーと（４）のピストン底部によって作り出される過給体積が合わされ２倍となる為結果的に高出力が得られる。一方（６）の排気口より瞬間的に排出される排気圧を（１５）のシリンダーと（１４）のピストン上部で生じる負圧で一時的に（１１）の管を通り吸引させその後ゆっくりと排気させる為、大幅な排気音低減が得られる。よって高出力で小型の機関とすることが出来る。この利点で身体に高負担となる長時間の作業用のエンジン（草刈機・チエンソー）又は産業用の動力にも適している。又近年騒音で問題となっている模型用エンジンにも適している。この特徴ある利点で応用範囲が広い機関と言え社会貢献が大きい内燃機関である。
【発明を実施する為の最良の形態】
【００７】以下、本発明の実施の形態を説明する、図１参照
（イ）一般的な内燃機関の構成で（１）（２）（３）（４）（５）（９）（１６）（１７）（１８）（１９）（２０）（２１）（２２）（２３）（２４）を設ける。
（ロ）（６）の排気口から排出経路途中に（７）の開閉弁を設ける。
（ハ）（１５）のシリンダーと（１４）のピストンと（１３）の給排気口を設ける。
（ニ）（１３）の排気口と（６）の排気口と（８）の消音器を管（１１）で配管する。
【００８】本機関の動作は図２・図３・図４・図５・図６の順で説明する。
（ホ）図２で（２２）のキャブレター中にある（２３）のキャブレターバルブを開け（１６）のクランクシャフトを回転し始動させる。すると（１６）のクランクシャフトに連結されている（９）の連結棒と（５）のピストンピンをへて（２）のシリンダー内の（４）のピストンが押し上げられると（２５）のクランク室は負圧になり（２２）のキャブレターから作りだされた混合気体は（１７）の気体流入口を通り（２５）のクランク室に入る。
（ヘ）それと同時に（１０）の連結棒と（１２）のピストンピンを介して（１４）のピストンも押し上げられる。これも同じく（２５）のクランク室は負圧になり（２２）のキャブレターから作りだされた混合気体は（１７）の気体流入口を通り（２５）のクランク室に入る。
（ト）図３で先の（ホ）と（ヘ）の（２５）のクランク室に吸入する混合気体が合わされ従来のピストン式内燃機関より（２５）のクランク室に入る混合気体は２倍の容量と多くなりこ
【００９】れが（２）のシリンダー内に送られる為、２倍の爆発力となり高出力の内燃機関となる。
（チ）図４で（４）のピストンと（１４）のピストンは上支点となり（２５）のクランク室への混合気体の吸入は（２１）の回転仕切り弁により閉じられ、混合気体の吸入は完了する。
（リ）図５で（４）のピストンと（１４）のピストンは下降し始め（２５）のクランク室の混合ガスは圧縮される。
（ヌ）図６で（２５）のクランク室で２倍に圧縮された混合気体は（２４）の掃気口より（２）のシリンダ内に送りこまれる。
（ル）図３で（２）のシリンダ内に送りこまれた混合気体は圧縮工程に入る。
（オ）図４で圧縮混合気体は（３）の点火栓により点火され爆発工程に入り図５で（４）ピストンは押し下げられる。
（ワ）図６で（６）の排気口より燃焼後の気体は排出されるが（１５）のシリンダー内は（１４）のピストン下降により負圧になる為（７）の開閉弁は閉じるので負圧により排気気体は強制的に（１１）の管を通り（１５）のシリンダー内に入る。そこで瞬間的に排出される排気圧力を一時的に吸収することが出来る為大幅な排気音低減効果を得られる訳である。
（カ）図３で（６）の排気口は（４）ピストンにより閉じられる。次に（１５）のシリンダー内に一度取り込まれたの燃焼後の気体はその後（１４）のピストンの上昇圧力により排気圧力が生じ（７）の開閉弁は排気圧力により開き排気気体は排出され全ての工程が完了し又再びこの工程が繰り返される。
【図面の簡単な説明】
【０１０】
【図１】本機関の断面図
【図２】本機関の断面図
【図３】本機関の断面図
【図４】本機関の断面図
【図５】本機関の断面図
【図６】本機関の断面図
【符号の説明】
【０１１】  １  冷却フイン
２  シリンダー
３  点火栓
４  ピストン
５  ピストンピン
６  排気口
７  開閉弁
８  消音器
９  連結棒
１０  連結棒
１１  管
１２  ピストンピン
１３  吸排気口
１４  ピストン
１５  シリンダー
１６  クランクシャフト
１７  気体流入口
１８  ベアリング
１９  座金
２０  ナット
２１  回転仕切り弁
２２  キャブレター
２３  キャブレターバルブ
２４  掃気口
２５  クランク室
【図１】
2009174508.tif 000003
【図２】
2009174508.tif 000004
【図３】
2009174508.tif 000005
【図４】
2009174508.tif 000006
【図５】
2009174508.tif 000007
【図６】
2009174508.tif 000008
(57)【要約】【課題】    従来のベルト通し穴は、抜き型等で断ち切ったままか、糸でステッチ縫いしていたため、ベルトを通す際の擦れや刺激により、通し穴に裂け目が出来たり、繊維がほころびたりして長持ちせず、更には通し穴自体が広がって体裁の悪いものとなっていた。【解決手段】    矩形リング形状の四辺の断面が、コの字型（２）に形成され、外周方向に断面開口部（３）を有したベルト通し穴用固定具（１）であり、該ベルト通し穴用固定具（１）の四辺の断面に、予めベルト（４）に矩形にあけられたベルト通し穴（５）の四辺の切断面をはめ込む工程の後、はめ込まれたベルト部と該矩形リング形状の四辺とを、ステッチ状に縫う事（６）でベルト通し穴（５）と一体化するため、通し穴に裂け目が出来たり、繊維がほころぶ事がなくなり長持ちし、通し穴に簡単にベルトがすべり込んで締めることが出来る。【選択図】図１
2009174100.tif 000002
【特許請求の範囲】
【請求項１】
矩形リング形状の四辺の断面が、コの字型（２）に形成され、外周方向に断面開口部（３）を有したベルト通し穴用固定具（１）であり、該ベルト通し穴用固定具（１）の四辺の断面に、予めベルト（４）に矩形にあけられたベルト通し穴（５）の四辺の切断面をはめ込む工程の後、はめ込まれたベルト部と該矩形リング形状の四辺とを、ステッチ状に縫う事（６）でベルト通し穴（５）と一体化する事を特徴とするベルト通し穴用固定具（１）。
【発明の詳細な説明】
【技術分野】
【０００１】  本発明は、ベルト通し穴にベルトを通す時のベルト通し穴用固定具に関する。
【背景技術】
【０００２】  従来、矩形にあけられたベルト通し穴は、抜き型等で断ち切ったままの穴としている。又、断ち切った部分を糸等でステッチ縫いして切断部のほころびを防止している。
【発明の開示】
【発明が解決しようとする課題】
【０００３】  従来、矩形にあけられたベルト通し穴は、抜き型やカッター等で断ち切ったままの穴としているが、ベルトを通す時の擦れや刺激により、裂け目が出来たり、繊維がほころびるため、長持ちしないものであった。【０００４】  又、断ち切った部分を糸等でステッチ縫いして、このほころびを防止していても、ベルトを通した後の力のかかり具合等で通し穴自体が広がって体裁も悪く、磨耗等により、やはり充分に長持ちするものではなく、ベルトを通しにくくなったりしていた。
本発明の目的は、これら従来の課題を解決し、矩形にあけられたベルト通し穴の四辺の切断面をコの字型に形成された四辺の断面にはめ込んだ後、ベルト部と矩形リング形状の四辺とをステッチ状に縫う事でベルト通し穴とを一体化する事を特徴とするベルト通し穴用固定具を提供する事にある。
【課題を解決するための手段】
【０００５】  上記課題を解決するために本発明は、ベルト通し穴の四辺の切断面を充分包み込み、更にはステッチ状に縫う事の出来る幅の有するコの字型に四辺の断面が形成されている。
本発明は以上のような構成からなるベルト通し穴用固定具である。
【発明の効果】
【０００６】  本発明のベルト通し穴用固定具は、以上のような構成であるため、従来のベルト通し穴のように、抜き型やカッター等の断ち切ったままの穴だと、裂け目や繊維のほころびが出来ていたものが、矩形リング形状の固定具で穴を保持出来る優れたものとなる。
又、断ち切った部分を糸等でステッチ縫いしてほころびを防止していても、例えば介護用ベルトのように、固くて太く、更には通す際のすべり込み具合等に不具合が出易いものであったが、固定具自体がベルト本体とステッチ状に縫い合わせられているので、ほころぶ事もなく、通し穴自体が老化して広がったりする事もなく、いつまでもベルトのすべり込みの状態が良い使いやすいものとなる。
【発明を実施するための最良の形態】
【０００７】  本発明におけるベルト通し穴用固定具の形状、大きさ、デザイン、構造、材質又は製造方法等は特に限定される事はないが、後のステッチ状に縫いこむ工程を考えると樹脂製が好ましい。
又、矩形リング形状やコの字型に形成され、外周方向に開口部を有する断面の大きさ、幅、長さ等の形状も限定される事はないが、ベルト本体に矩形にあけられたベルト通し穴の四辺の切断面をはめ込む形状に合致するように構成される事が好ましい。
なお、ベルト本体と本発明のベルト通し穴用固定具とをステッチ状に縫う工程では、ミシン等の機械縫いで一体化する事が好ましいが、その一体化する方法は、なんら限定される事はない。
【実施例】
【０００８】  以下、本発明の一実施例を、図１、図２、図３及び図４で説明するがこれによって本発明はなんら限定されるものでは無い。【０００９】  図１は本発明の一例を示したもので、ベルト通し穴用固定具自体が、矩形リング形状として形成されており、図２は図１のＡ−Ａ‘断面を示している。これは断面がコの字型（２）に形成され、外周方向に断面開口部（３）が形成されている。このコの字型（２）の凹部分に図３で示したベルト（４）に予め矩形にあけられたベルト通し穴（５）の四辺の切断面をはめ込む。
その後、図４に示したように、はめ込まれたベルト部とベルト通し穴用固定具（１）の矩形リング形状の四辺とをステッチ状に縫い合わせて、ベルト通し穴（５）と一体化して形成される。これによってベルトを通す際のすべり込みが簡単となる。
【産業上の利用の可能性】
【００１０】  ベルト通し穴にベルトを通す際に固定具のリング内側を通るため、ベルト通し穴自体が、裂けたり、繊維がはころびる事がなく、更にはベルト通し穴が広がり体裁が悪くなることもなく、ベルトのすべり込みの状態が良い優れたベルト通し穴用固定具となる。
【図面の簡単な説明】
【００１１】
【図１】  本発明の一例を示す平面図である。
【図２】  本発明の一例を示す断面図である。
【図３】  本発明の一例を示す平面図である。
【図４】  本発明の一例を示す平面図である。
【符号の説明】
１  ベルト通し穴用固定具    ２  コの字型
３  断面開口部    ４  ベルト    ５  ベルト通し穴
６  ステッチ状に縫う事
【図１】
2009174100.tif 000003
【図２】
2009174100.tif 000004
【図３】
2009174100.tif 000005
【図４】
2009174100.tif 000006
(57)【要約】【課題】  従来の紙巻器に紙を取り出すのに取り出し方の表示はなく、取り出し口が静電気によりロールにピタットはりつき取り出すのに苦労が多く見けられる例えば紙のロールを爪で引かくなどして糸状にしてしまい使用不能にな例とか、紙巻器のカッターを併ねたホルダーを変形させたりする例が見られた、指先の不自由人、不器用な人には非常に使い勝手が悪いと考える。又紙を最後まで使いきることが困難とも考えられる。省エネの時代にも反すると考る【解決手段】  紙巻器の見え易い所に取り出し方を表示することにより解決するものと考える【選択図】図８
2009189782.tif 000002
【特許請求の範囲】
【発明の詳細な説明】
【技術分野】
【０００１】本発明は、トイレの紙巻器に関する。
【背景技術】
【０００２】従来紙巻器にトイレットペーパーの取り出し方が表示されていない。
【発明の開示】
【発明が解決しようとする課題】
【０００３】トイレの紙巻器より紙を簡単に取り出す方法を考案する【０００４】紙巻器の紙を最後まで無駄なく使い切ることが出来ることを考案する
【課題を解決するための手段】
【０００５】紙巻器に簡単に紙をとり出す方をイラストにしそれをシールにして紙巻器の見え易い所にはることを考案した。【０００６】イラストに図案化したものを取り入れ、多数の取り出し方を表示することとした。
【発明の効果】
【０００７】紙の取り出しが楽になり気分的にもここちよい。【０００８】指先の不器用な人、指先の不自由な人、お年寄りの方等に特に便利と考えられる。【０００９】紙の取り出しが功く出来なくて巻いてある紙を爪で引きかいて糸状にしてしまい使用不能になることを防ぐことが出来る【００１０】時に紙巻器を変型させてしまうこともありそれを防ぐことが出来る【００１１】紙を最後まで残すことなく使いきることが出来無駄をはぶくことが出来ると考えられる。【００１２】この方法を全国で使用したら資源保護にもなると考えられる
【発明を実施するための最良の形態】
【００１３】紙の取り出し方を図案化したものをのりのついた台紙つきのシールにすることとする。【００１４】シールには多数の取り出し方を表示したものとすることとした。
【図面の簡単な説明】
【００１５】
【図１】本発明の実行される前の紙巻器の図案化した外観図〔符号の説明〕〔００１６〕Ａ………紙巻器の一部でカッター併カバー。１………必要量の紙の部分
【図２】紙巻器より必要量の紙を取り出し全部カットせず一部残した状態。〔００１７〕
【図３】紙巻器に取り出し用の紙をのこしたもの。〔符号の説明〕〔００１８〕２………引出し用に残した紙の一部
【図４】取り出し用に残す紙の型状の一つ。〔００１９〕〔符号の説明〕２………女王のカットの名称とする
【図５】取り出し用に残す紙の型状の一つ。〔符号の説明〕〔００２０〕２………チョロカットの名称とする
【図６】取り出し用に残す紙の型状の一つ。〔符号の説明〕〔００２１〕２………ペローンカットの名称とする。
【図７】取り出し用に残す紙の型状の一つ。〔符号の説明〕〔００２２〕２………オニギリカットの名称とする。
【図８】取り出し方をシールにし紙巻器のカッター併カバーの上部に張り付けたもの。
【符号の説明】
３………図１を表示したもの。
４………図２を表示したもの。
５………図３を表示したもの。
６………図４を表示したもの。
７………図５を表示したもの。
８………図６を表示したもの。
９………図７を表示したもの。
【図１】
2009189782.tif 000003
【図２】
2009189782.tif 000004
【図３】
2009189782.tif 000005
【図４】
2009189782.tif 000006
【図５】
2009189782.tif 000007
【図６】
2009189782.tif 000008
【図７】
2009189782.tif 000009
【図８】
2009189782.tif 000010
【手続補正書】
【提出日】平成20年5月16日(2008.5.16)
【手続補正１】
【補正対象書類名】特許請求の範囲
【補正対象項目名】全文
【補正方法】変更
【補正の内容】
【特許請求の範囲】
【請求項１】
トイレットペーパーをスムースに取り出す為に紙巻器の表面に取出す方法（３）（４）（５）（６）（７）（８）（９）をイラストにし一枚ののり付シールにしてはりつけた紙巻器。
【請求項２】
多種類の紙巻器に取り出す方法（３）（４）（５）（６）（７）（８）（９）を各一枚一枚イラストにしのり付シールにしはり付け表示した紙巻器。
(57)【要約】【課題】  傘立ての縁、パイプ、机の端部への掛け置きや、鞄の握り手等に吊下げ携帯を可能とするための、収納式フック付折りたたみ傘を提供する。【解決手段】  傘の柄に中空軸と自由に回転と出入りをする支軸を設け、この支軸先端部に湾曲したフックを設け、フックの収納部となる溝を柄部に設けたことを特徴とする収納式フック付折りたたみ傘。前記の中空軸に抜け防止の支軸スライドリングを設け、支軸の下部に抜け防止端部を設ける、支軸スライドリング、支軸抜け防止端部にはそれぞれにフック回転位置固定のための凹凸部を設けたことを特徴とする収納式フック付折りたたみ傘。【選択図】図１
2009189783.tif 000002
【特許請求の範囲】
【請求項１】
傘の柄に中空軸と自由に回転と出し入れを可能とする支軸を設け、この支軸先端部に湾曲したフックを設け、フックの収納部となる溝を柄部に設けたことを特徴とする収納式フック付折りたたみ傘。
【請求項２】
前記の中空軸に抜け防止の支軸スライドリングを設け、支軸の下部に抜け防止端部を設ける、支軸スライドリング、支軸抜け防止端部にはそれぞれにフック回転位置固定のための凹凸部を設けたことを特徴とする請求項１記載の収納式フック付折りたたみ傘。
【発明の詳細な説明】
【技術分野】
【０００１】  本発明は、傘立ての縁、パイプ、机の端部等への掛置き、鞄の握り手等に吊下げ携帯を可能とするための、収納式フック付折りたたみ傘に関するものである。
【背景技術】
【０００２】  折りたたみ傘は鞄等に入れての携帯性を考慮して、長傘のように湾曲する柄を有していない物が多数である、そのため雨天の際の未使用時は、傘本体を握るか柄部に設けてある吊下げ紐を握る、もしくは指通しにより携帯する方法が採られている。また、一般に敷設されている傘立ての形状は短尺である折りたたみ傘が置けるようには考慮されていない。
なお、握り柄の外側面にフックを取付けた傘が知られている（特許文献１及び２参照）。
【特許文献１】実開平７−３３３０号広報
【特許文献２】特開２００４−０５７７４４号広報
【発明の開示】
【発明が解決しようとする課題】
【０００３】  そのために、次のような問題点があった。
（イ）パイプ、机端部への掛置き、鞄の握り手やベルトへの吊下げ携帯が出来ない。
（ロ）雨天未使用時、傘立てへの立て掛け、吊下げの仮置きが出来ない。
（ハ）固定フックや長傘に見られる湾曲する柄の場合は、突起部が鞄等への収納時に不都合な場合が有る。
本発明は、これらの問題点を解決するためになされたものである。
【課題を解決するための手段】
【０００４】  傘の柄部に中空軸と自由に回転と出し入れを可能とする支軸を設け、この支軸先端部に掛置き、または携帯するための湾曲したフックを設け、支軸とフックの収納部となる溝を設ける。また、中空軸に抜け防止の支軸スライドリングを設け、支軸下部に抜け防止端部を設ける、支軸スライドリング、支軸抜け防止端部にはそれぞれにフック回転位置固定のための凹凸部を設けたことを特徴とする収納式フック付折りたたみ傘である。
【発明の効果】
【０００５】  本発明は、傘の柄に出し入れ可能なフックを設けることにより、鞄の握り部やベルトに掛けての携帯が可能となり。また、フックの固定位置を反転することによってパイプ、机端部への掛置き、傘立ての縁に掛置きが可能となる、さらに、フックは柄部に収まる形態をとることで鞄等へ収納する際に突起部をなくすことで利便性が向上する。
【発明を実施するための最良の形態】
【０００６】  以下、本発明の実施の形態を説明する．
（イ）柄（１）に、中空軸（２）を設け、中空軸（２）内を回転と出し入れする支軸（３）を設け、中空軸（２）には支軸（３）の抜け防止の支軸スライドリング（６）を設ける。
（ロ）支軸（３）の先端部に湾曲するフック（４）を設け、中空軸（２）内の下部には支軸抜け防止端部（７）を設ける。
（ハ）支軸スライドリング（６）には、図４および図５に示すフック（４）の位置状態をなす位置に、フック（４）固定用の支軸位置固定凹部（８ａ、８ｂ）を対角位置に２箇所設け、支軸抜け防止端部（７）には支軸位置固定凸部（９）を設ける。
（二）柄（１）にフック収納部（５）となる溝を設ける。
本発明は以上のような構造でこれを使用するときは、柄（１）のフック収納部（５）よりフック（４）を引き出す、その際支軸スライドリング（６）に設けられた支軸位置固定凹部（８ａ）と支軸抜け防止端部（７）に設けられた支軸位置固定凸部（９）とに噛合わされることにより、フック（４）の位置が図４の状態に固定され鞄の握り部やベルトに掛けての携帯が可能となる。また、図４の状態よりフックを回転し、支軸位置固定凹部（８ｂ）と支軸抜け防止端部（７）に設けられた支軸位置固定用凸部（９）とに噛合わされることにより、フック（４）の位置が図５の状態に固定され、パイプ、机端部への掛置きや傘立ての縁に掛置きが可能となる。
また、未使用時の鞄等へ収める際には支軸（３）は中空軸（２）に、フック（４）は柄（１）に設けられたフック収納部（５）の溝に押し込み収納する。
【図面の簡単な説明】
【０００７】
【図１】本発明のフック部を引出し回転した状態の斜視図
【図２】本発明の柄部の上部平面図
【図３】本発明のフック収納時の側面図
【図４】本発明のフックを引出した状態の側面図
【図５】図４の状態より、フックを回転した状態の側面図
【図６】図５の状態の上部平面図
【図７】図２に表記のＡ−Ａ’断面図
【図８】図７に表記のＢ部斜視詳細図
【符号の説明】
【０００８】    １  柄
２  中空軸
３  支軸
４  フック
５  フック収納部
６  支軸スライドリング
７  支軸抜け防止端部
８ａ  支軸位置固定凹部ａ
８ｂ  支軸位置固定凹部ｂ
９  支軸位置固定凸部
１０  柄と傘軸の接続部
１１  中棒
１２  傘布
１３  止め紐
【図１】
2009189783.tif 000003
【図２】
2009189783.tif 000004
【図３】
2009189783.tif 000005
【図４】
2009189783.tif 000006
【図５】
2009189783.tif 000007
【図６】
2009189783.tif 000008
【図７】
2009189783.tif 000009
【図８】
2009189783.tif 000010
(57)【要約】【課題】目の見えない人が周りの様子がわかるようにすることです。【解決手段】超音波探査装置８と触覚装置１を合体させます。超音波発信受信装置９から超音波１０を発信し、物体１１に当て反射してきた超音波１０を超音波発信受信装置９で受信して、超音波探査装置８で電気信号に変換して、触覚装置１へ送信して触覚装置１で触覚力に変え、人の皮膚３の触覚に伝えて物体１１の存在を知らせます。【選択図】図２
2009189772.tif 000002
【特許請求の範囲】
【請求項１】
目の見えない人をサポートする装置の構造
【発明の詳細な説明】
【技術分野】
【０００１】福祉機器
【背景技術】
【０００２】従来の杖だけでは周りの様子がわかりませんでした。
【発明の開示】
【発明が解決しようとする課題】
【０００３】目の見えない人が周りの様子がわかるようにすること。
【課題を解決するための手段】
【０００４】超音波探査装置８と触覚装置１を合体させます。
超音波発信受信装置９から超音波１０を発信し、物体１１に当て反射してきた超音波１０を超音波発信受信装置９で受信して、超音波探査装置８で電気信号に変換して、触覚装置１へ送信して触覚装置１で触覚力に変え、人の皮膚３の触覚に伝えて物体１１の存在を知らせます。
【発明の効果】
【０００５】目の見えない人が周りの様子がわかるようにします。
【発明を実施するための最良の形態】
【０００６】
【図面の簡単な説明】
【０００７】
【図１】平面図  目の見えない人をサポートする装置
【図２】断面図  目の見えない人をサポートする装置
【符号の説明】
【０００８】  １触覚装置
２ベルト
３人の皮膚
４シート
５永久磁石
６電気コイル
７電子回路
８超音波探査装置
９超音波発信受信装置
１０超音波
【図１】
2009189772.tif 000003
【図２】
2009189772.tif 000004
(57)【要約】      （修正有）【課題】秋から冬にかけて寒い時に布団を被っても肩の方が空ける為に健康肩掛けを掛けて予防する。【解決手段】肩掛けを掛けることによって疲れの予防、風邪の予防になります。【選択図】図１
2009189774.tif 000002
【特許請求の範囲】
【発明の詳細な説明】
【技術の分野】
【０００１】従来の肩掛けと違いほんに肩だけ庇護して胸部の圧迫感もなく快適に疲れが取れます。
背景の技術
【０００２】従来の肩掛けは肩だけに特化する品がなかった。
【０００３】
【特許文献１】特開２００１      号公報（第  頁）
【発明の開示】
発明が解決しようとする課題
【０００４】布団かぶって寝る時どうしても肩の方が空けて肩こり疲れの原因になります。疲れ風邪引きの予防になされたものです。
課題を解決するための手段
【０００５】肩だけに特化することによって肩を冷やさず肩こり疲れ風邪引きの予防につながります。
【発明の効果】
【０００６】寝ている時に寝返りを打って布団を肩からずれてきても肩掛けは肩から外れず肩を冷やすことなく疲れの予防、風邪引きの予防につながります。胸の前に左右の通風口により胸の圧迫感もなく快適な心地で睡眠できます。
首回りもマジックバンドで調節できる
紐に両腕を通すだけで簡単に装着できます。
【実施例１】
【０００７】
【図面の簡単な説明】
【０００８】
【図１】本発明の正面図である
【図２】本発明の使用状態を示す全体図である
【符号の説明】
【０００８】１．肩掛けの本体
２．肩掛けの留める紐の通し方
３．首筋の留め方
４．胸の前のホックの留め方
５．紐の結び位置
【図１】
2009189774.tif 000003
【手続補正書】
【提出日】平成20年5月22日(2008.5.22)
【手続補正２】
【補正対象書類名】特許請求の範囲
【補正対象項目名】全文
【補正方法】変更
【補正の内容】
【特許請求の範囲】
【請求項１】
布団を被って寝る時どうしても肩から首筋のほうが透けて為に健康肩掛けを掛けて、肩こり、風の予防に夏は冷房で肩を冷やさない為にタオル地の肩掛けをして肩の冷え、夏風邪の予防に役立ちます。
【手続補正３】
【補正対象書類名】明細書
【補正対象項目名】０００８
【補正方法】変更
【補正の内容】
【０００８】
【図１】本発明の正面図である
(57)【要約】      （修正有）【課題】秋から冬にかけて寒い気候に膝が冷えて膝痛、筋肉の筋引を予防すると共に、痙攣が起こりやすい漁業、農業様々な室外の仕事、通勤、事務仕事、登山、ハイキング、ウォーキングの転倒予防になる万能膝装着用具を提供する。【解決手段】万能膝当てを膝部に固定することにより、自浄能力で膝が温められ、膝が冷えて起きる膝痛や、筋肉の筋引を予防すると共に、さらに転倒による衝撃の緩和にも、役立つことができる構成とする。【選択図】図１
2009189775.tif 000002
【特許請求の範囲】
【請求項１】
総体的に常日頃から自浄能力で膝を温めることにより足の筋肉の筋の痛み、筋引き膝の予防につながります。万能膝装着用具はまさに画期的な発明品です。（請求項目１）万能膝装着用具
【発明の詳細な説明】
【技術の分野】
【０００１】従来の膝当てと違い、膝に関わるいろいろな事柄に対応して予防を主体に考案しました。
【背景の技術】
【０００２】従来の膝当てと違い方々な方面に対応できます。
【発明の開示】
多方面に効能があり、広く知らしめたいです。
【発明が解決しようとする課題】
【０００３】冷えによる膝痛、転倒による膝の損傷を防ぐため。
【課題を解決するための手段】
【０００４】膝を自浄能力により、装具で温め、膝の予防転倒による衝撃の緩和に役立ちます。
【図面の簡単な説明】
【０００５】
【図１】装具を示した平面図である。▲１▼のように記載します。
【図２】装具を示した側面図である。▲２▼のように記載します。
【図１】
2009189775.tif 000003
【図２】
2009189775.tif 000004
(57)【要約】【課題】１のランニングマシンの距離情報から、マラソンコースのその距離での坂道情報（傾斜情報）をランニングマシンの前後傾斜機能に７からフィードバックする事で、実コースと同じ体験を行う事を目的とし、かつコースの変更が容易に行える事も考慮する。【解決手段】マラソンコースの坂道情報（傾斜情報）を地図の等高線やＧＰＳで取得し、外部メモリに記録して、ランニングマシンの距離に照合して取り出し、それを出力する。また、コース毎にメモリを交換する事で、コース変更を可能としている。【選択図】図１
2009189714.tif 000002
【特許請求の範囲】
【請求項１】
ランニングマシンの走行距離に応じ、距離毎の傾斜角をフィードバックする装置。
【請求項２】
傾斜角情報を外部メモリとする事で、マラソンコースを自由に変更可能とする。
【発明の詳細な説明】
【技術分野】
【０００１】
本発明は、走行距離に連動して、マラソンコースの実路面の傾斜を実体験で走る事を可能にする装置である。
【背景技術】
【０００２】
従来から、傾斜可能なランニングマシンやトレッドミルは存在するが、実路面に連動するものは無かった。
【０００３】
本発明は、箱根駅伝やオリンピックでのマラソンコースの勾配情報を利用する事で、走者がコースを実体験し、箱根５区の登り坂でのペース配分や、６区山下りでのひざへの負担を減らす走行方法等の技術的検討を戦略的に行う事が、室内で可能となる。また、運動科学的なランニング方法の研究に応用可能である。
【０００４】
課題を解決するための手段として、マイクロコンピュータを使用した回路で、ランニングマシンから走行距離をロータリエンコーダのパルス発生装置から取り込み、パルス数から距離を算出して、メモリに記録されているコースデータの距離毎の傾斜情報を取り出し、電動前後傾斜可動装置の付いたランニングマシンに出力する。画面表示可能なランニングマシンで有れば、より臨場感が得られる。
【０００５】
傾斜情報の出力部は、電圧でのアナログ量、８ビット程度のディジタルパラレル出力又は通信回線による文字列で傾斜データを出力する等、ランニングマシンに合わせた出力を用意する事が可能で有る。
【０００６】
メモリに記録するコースデータは、ＵＳＢスティックメモリの様な、外部メモリとする事で、コースの変更がメモリの差し替えで自由に行う事が可能で有る。
【特許文献１】特許公開２００５−７４２１１
【特許文献２】特許公開平１０−２７７１７８
【特許文献３】特許公開平９−２３３４６４
【特許文献４】実用新案公開平５−２９５５９
【発明の開示】
【発明が解決しようとする課題】
【０００７】
ランニングマシンの回転計から走行パルスを取り出しカウントする事で走行距離を割り出し、メモリに記録されている、距離毎の傾斜角をランニングマシンにフィードバックする。
【０００８】
コースデータは、勾配計の他に、地図の等高線やＧＰＳで実測する事で作成が可能で有る。海抜を設定する必要は無く、距離単位毎の高低差だけで良く、傾斜データは高ビット精度を必要としない。１走行単位を１０ｍとし１ビットを１ｃｍと設定すれば、８ビット精度の場合、−１２８ｃｍ〜＋１２７ｃｍの範囲をカバー可能である。角度にすると最大約７度で勾配は１２．８％となる。箱根駅伝では、恵明学園と湯坂路間の１３％が最大勾配となっている。１ビットを３ｃｍにすれば−３８４ｃｍ〜＋３８１ｃｍで、角度にすると、約２２度で勾配３８．４％が表現出来る。富士登山レースでは、１ビットを５ｃｍにすれば、４４度で勾配６４％まで可能である。この様にコース別にビット単位の重み付けを変える事で対応が可能である。
【実施例】
【０００９】
発明実施の形態を、図面を参照して説明する。図１において、１の端子にランニングマシンのロータリエンコーダ出力を受け、２のロータリエンコーダパルス変換回路で、ロータリエンコーダのＡ相／Ｂ相から回転パルスを取り出し、カウントアップした結果を３のマイクロコンピュータに送り、ロータリエンコーダの分解能に応じた変換係数を掛けて距離を算出する。１２のＵＳＢメモリに記録されている距離に対する傾斜角を、５のＵＳＢ通信ＩＣを経由して取り出し、出力部に出力する。
【００１０】
図２の出力部は、１１の傾斜情報入力端子からの傾斜値を、次の方法で出力が可能である。
１  １２のＤＡコンバータにより電圧値に変換して、１３のアナログ端子から出力する。
２  １４のディジタルパラレル出力用ラッチに書き込み、１５の端子から出力する。
３  １６のＵＳＢ通信ＩＣを経由して、１７のＵＳＢ通信出力端子から文字列として出力する。
【産業上の利用可能性】
【００１１】
コースを実体験する事で、未経験のコースでも現地へ行く事無く、室内でマラソンのペース配分や、坂道での走行方法の研究が行え、選手の強化訓練に用いる事が出来る。また、運動科学に応用出来る。
【００１２】
又、ＵＳＢメモリの交換でコース変更が行えるので、箱根マラソンの様にリレー形式の区間変更が容易に行える。
【００１３】
又、出力方法を多種用意する事で、多機種のランニングマシンとのインターフェイスが可能となる。
【図面の簡単な説明】
【００１４】
【図１】本装置の構成図である。
【図２】出力部の構成図である。
【符号の説明】
【００１５】
１ ランニングマシンからのロータリエンコーダ入力端子
２ ロータリエンコーダパルス変換回路
３ マイクロコンピュータ
４ ＵＳＢメモリ用コネクタ
５ ＵＳＢ通信ＩＣ
６  傾斜情報出力部
７  傾斜情報出力端子
８  キーボード
９  液晶画面
１０ ＵＳＢメモリ
１１ 傾斜情報入力端子（ディジタル値）
１２ ＤＡコンバータ
１３ アナログ出力端子
１４ ディジタルパラレル出力用ラッチ
１５ ディジタルパラレル出力端子
１６ ＵＳＢ通信ＩＣ
１７ ＵＳＢ通信出力端子
【図１】
2009189714.tif 000003
【図２】
2009189714.tif 000004